(57)【要約】【課題】ブロー成形型を複雑な構成とすることなく容器の内部に所望の大きさのヘッドスペースを形成可能な容器製造方法を提供する。【解決手段】加圧された空気をブロー成形型１１に設けられた空気孔１３からキャビティ１２に供給して、該空気により成形後の容器Ｃの外面を押圧して容器Ｃの内部の液体Ｌを所定量だけ容器Ｃの外部に排出させる液体排出工程と、所定量の液体Ｌを外部に排出した状態の容器Ｃの口部Ｃａから充填ノズル２２を離脱させて容器Ｃの内部にヘッドスペースＨＳを形成するヘッドスペース形成工程と、を有する容器製造方法。【選択図】図４
2018161858.tif 000002
【特許請求の範囲】
【請求項１】
合成樹脂製のプリフォームを液体ブロー成形して内容液を収容した容器を製造する容器製造方法であって、
ブロー成形型に前記プリフォームを配置するとともに、液体供給路に接続された充填ノズルを前記プリフォームの口部に係合させるプリフォームセット工程と、
前記液体供給路に供給された加圧された液体を前記充填ノズルから前記プリフォームの内部に供給して該プリフォームを前記ブロー成形型のキャビティに沿った形状に液体ブロー成形するブロー成形工程と、
加圧された空気を前記ブロー成形型に設けられた空気孔から前記キャビティに供給して、該空気により成形後の容器の外面を押圧して該容器の内部の液体を所定量だけ該容器の外部に排出させる液体排出工程と、
所定量の液体を外部に排出した状態の前記容器の口部から前記充填ノズルを離脱させて該容器の内部にヘッドスペースを形成するヘッドスペース形成工程と、を有する容器製造方法。
【請求項２】
前記ブロー成形工程において、前記空気孔から空気を吸引することによって前記キャビティ内でラベルを前記空気孔に吸着させた状態で、前記プリフォームを液体ブロー成形する、請求項１に記載の容器製造方法。
【発明の詳細な説明】
【技術分野】
【０００１】
本開示は、合成樹脂製のプリフォームを液体ブロー成形して内容液を収容した容器を製造する容器製造方法に関する。
【背景技術】
【０００２】
ポリプロピレン（ＰＰ）製のボトルやポリエチレンテレフタレート（ＰＥＴ）製のボトルに代表されるような合成樹脂製の容器は、飲料、化粧品、薬品、洗剤、シャンプー等のトイレタリーなどの様々な液体を内容液として収容する用途に使用されている。このような容器は、上記したような熱可塑性を有する合成樹脂材料によって略試験管状に形成されたプリフォームをブロー成形することにより製造されるのが一般的である。
【０００３】
プリフォームを容器に成形するブロー成形としては、プリフォームの内部に供給する加圧媒体として、加圧エアーに替えて加圧した液体を用いるようにした液体ブロー成形が知られている。
【０００４】
例えば特許文献１に記載されるように、液体ブロー成形に使用する加圧媒体として最終的に容器に収容される飲料等の液体（内容液）を用いることにより、内部に内容液を収容した容器を製造するようにした容器製造方法が知られている。この容器製造方法によれば、成形後の容器への内容液の充填工程を省略することができるので、その製造工程や製造ライン（装置）の構成を簡略化することができる。
【先行技術文献】
【特許文献】
【０００５】
【特許文献１】特表２０１６−５０４２１９号公報
【発明の概要】
【発明が解決しようとする課題】
【０００６】
上記従来の容器製造方法のように、液体ブロー成形に使用する加圧媒体として最終的に容器に収容される液体を用いる場合には、成形後の容器の内部に適度な大きさのヘッドスペース（内容液で満たされない空間）を形成することが望ましい。
【０００７】
上記従来の容器製造方法では、液体供給路に供給された加圧された液体を充填ノズルからプリフォームの内部に供給してプリフォームを液体ブロー成形した後、ブロー成形型に内蔵された圧縮タブをキャビティの内部に向けて突出させ、成形後の容器の外面を当該圧縮タブで押圧することにより、容器の内部から所定量の内容液を外部に排出させて、当該容器の内部に所定量のヘッドスペースを形成している。
【０００８】
しかし、このような方法では、ブロー成形型として圧縮タブやその駆動機構を内蔵した複雑な構成のものを用いる必要があるので、当該容器の製造コストが高くなってしまうという問題点があった。
【０００９】
本開示は、このような点に鑑み、ブロー成形型を複雑な構成とすることなく容器の内部に所望の大きさのヘッドスペースを形成可能な容器製造方法を提供することを目的とする。
【課題を解決するための手段】
【００１０】
本発明の一実施形態としての容器製造方法は、
合成樹脂製のプリフォームを液体ブロー成形して内容液を収容した容器を製造する容器製造方法であって、
ブロー成形型に前記プリフォームを配置するとともに、液体供給路に接続された充填ノズルを前記プリフォームの口部に係合させるプリフォームセット工程と、
前記液体供給路に供給された加圧された液体を前記充填ノズルから前記プリフォームの内部に供給して該プリフォームを前記ブロー成形型のキャビティに沿った形状に液体ブロー成形するブロー成形工程と、
加圧された空気を前記ブロー成形型に設けられた空気孔から前記キャビティに供給して、該空気により成形後の容器の外面を押圧して該容器の内部の液体を所定量だけ該容器の外部に排出させる液体排出工程と、
所定量の液体を外部に排出した状態の前記容器の口部から前記充填ノズルを離脱させて該容器の内部にヘッドスペースを形成するヘッドスペース形成工程と、を有するものである。
【００１１】
本発明の１つの実施形態として、前記ブロー成形工程において、前記空気孔から空気を吸引することによって前記キャビティ内でラベルを前記空気孔に吸着させた状態で、前記プリフォームを液体ブロー成形してもよい。
【発明の効果】
【００１２】
本開示によれば、ブロー成形型を複雑な構成とすることなく容器の内部に所望の大きさのヘッドスペースを形成可能な容器製造方法を提供することができる。
【図面の簡単な説明】
【００１３】
【図１】本発明の一実施形態としての容器製造方法のプリフォームセット工程において、プリフォームを液体ブロー成形装置にセットした状態を示す縦断面図である。
【図２】本発明の一実施形態としての容器製造方法のブロー成形工程において、プリフォームを液体ブロー成形した状態を示す縦断面図である。
【図３】本発明の一実施形態としての容器製造方法の液体排出工程において、充填ノズルを液体供給路に対して閉じるとともに排出路を開いた状態を示す縦断面図である。
【図４】本発明の一実施形態としての容器製造方法の液体排出工程において、空気により成形後の容器の外面を押圧している状態を示す縦断面図である。
【図５】本発明の一実施形態としての容器製造方法のヘッドスペース形成工程において、排出路を閉じて、成形後の容器の口部から充填ノズルを離脱させた状態を示す縦断面図である。
【発明を実施するための形態】
【００１４】
以下、図面を参照して本発明の一実施形態としての容器製造方法について詳細に例示説明する。
【００１５】
本発明の一実施形態としての容器製造方法は、合成樹脂製のプリフォームを液体ブロー成形して内容液を収容した容器を製造する容器製造方法であって、ブロー成形型にプリフォームを配置するとともに、液体供給路に接続された充填ノズルをプリフォームの口部に係合させるプリフォームセット工程と、液体供給路に供給された加圧された液体を充填ノズルからプリフォームの内部に供給してプリフォームをブロー成形型のキャビティに沿った形状に液体ブロー成形するブロー成形工程と、加圧された空気をブロー成形型に設けられた空気孔からキャビティに供給して、空気により成形後の容器の外面を押圧して容器の内部の液体を所定量だけ容器の外部に排出させる液体排出工程と、所定量の液体を外部に排出した状態の容器の口部から充填ノズルを離脱させて容器の内部にヘッドスペースを形成するヘッドスペース形成工程と、を有するものである。
【００１６】
このような本発明の一実施形態としての容器製造方法は、例えば図１〜図５に示す構成の液体ブロー成形装置１を用いて実施することができる。
【００１７】
液体ブロー成形装置１は、合成樹脂製のプリフォームＰＦを液体ブロー成形することにより、内部に液体（内容液）Ｌを収容するとともに所定の大きさのヘッドスペースＨＳを有する液体入りの容器Ｃを製造するものである。液体ブロー成形とは、プリフォームＰＦに加圧した液体Ｌを供給して、プリフォームＰＦをブロー成形型１１のキャビティ１２に沿った形状の容器Ｃに成形するブロー成形のことである。
【００１８】
液体ブロー成形においてプリフォームＰＦに供給される液体Ｌとしては、成形後の容器Ｃに収容されて内容液Ｌとなる液体が用いられる。このような液体Ｌとしては、例えば飲料、化粧品、薬品、洗剤、シャンプー等のトイレタリーなどの様々な液体を用いることができる。
【００１９】
プリフォームＰＦは、例えば、ポリプロピレン（ＰＰ）やポリエチレンテレフタレート（ＰＥＴ）等の熱可塑性を有する合成樹脂材料を原材料とし、射出成形やダイレクトブロー成形、押出し成形等を行うことによって成形することができる。本実施形態では、プリフォームＰＦは、開口端となる円筒状の口部ＰＦａと、口部ＰＦａに連なるとともに下端が閉塞された有底円筒状の胴部ＰＦｂとを有する略試験管状をなしている。
【００２０】
プリフォームＰＦとしては、上記形状のものに限らず、成形後の容器Ｃの形状や材質等に応じて種々の形状ないし材質のものを用いることができる。
【００２１】
口部ＰＦａの外壁面には、成形後の容器Ｃの口部Ｃａに、口部Ｃａを閉塞する閉塞キャップ、注出ノズル等を備えた注出キャップ、又はポンプ付き吐出装置の装着キャップ等（不図示）を装着するための雄ねじＰＦｃが一体に設けられている。口部ＰＦａの外壁面に、雄ねじＰＦｃに替えて前述のような種々のキャップを打栓（アンダーカット係合）によって装着するための係合突起を設けた構成とすることもできる。
【００２２】
プリフォームＰＦは、ヒーター等の加熱手段を用いて延伸性を発現する所定の温度にまで予め加熱された後、図１に示すように、胴部ＰＦｂがキャビティ１２の内部に配置されるとともに口部ＰＦａがキャビティ１２から上方に突出する起立姿勢でブロー成形型１１に配置される。
【００２３】
ブロー成形型１１のキャビティ１２は、本実施形態では、容器の最終形状となるボトル形状に形成されている。すなわち、本実施形態では、成形後の容器Ｃは、円筒状の口部Ｃａと、当該口部Ｃａに連なるとともに口部Ｃａより拡径した胴部Ｃｂと、胴部Ｃｂの下端を閉塞する底部Ｃｃとを有するボトル形状をなしている。キャビティ１２はブロー成形型１１の上面において上方に向けて開口しており、当該開口から上記のようにプリフォームＰＦの口部ＰＦａを上方に突出させることができる。
【００２４】
詳細は図示しないが、ブロー成形型１１は左右に型開きすることができるようになっており、プリフォームＰＦを液体入りの容器Ｃに成形した後にブロー成形型１１を左右に開くことで、当該液体入りの容器Ｃをブロー成形型１１から取り出すことができる。
【００２５】
ブロー成形型１１は、キャビティ１２と連通する複数の空気孔１３と、当該複数の空気孔１３と接続された空気供給路１４とを有している。空気供給路１４は、開閉弁１５を介して圧力源（図示省略）と接続されている。本実施形態では、複数の空気孔１３は、ブロー成形型１１における、成形後の容器Ｃの胴部Ｃｂに対応する位置に配置されている。
【００２６】
複数の空気孔１３には、液体ブロー成形時にブロー成形型内（インモールド）で容器Ｃの胴部Ｃｂの外面に貼着されることになるラベル（インモールドラベル）Ｒが配置される。ラベルＲは、例えば、プリフォームセット工程において、ブロー成形型１１にプリフォームＰＦを配置する前にブロー成形型１１内に配置することができる。ラベルＲは、容器Ｃの胴部Ｃｂに貼着されるまで、開閉弁１５を開いて圧力源から負圧を付与することにより空気孔１３から空気を吸引することによって複数の空気孔１３に吸着され、ブロー成形型１１内で安定して保持される。ラベルＲは、容器Ｃの胴部Ｃｂの全周に亘って配置される筒状であってもよいし、全周の一部のみに亘って配置されるものであってもよく、その形状は特に限定されない。
【００２７】
複数の空気孔１３は、容器Ｃの成形後に開閉弁１５を開いて圧力源から加圧された空気を供給することにより、容器Ｃの胴部Ｃｂの外面に向けて空気を流出させることができ、それにより、当該空気によって胴部Ｃｂの外面を（ラベルＲを介して）押圧することができる（図４参照）。
【００２８】
本実施形態では、ラベルＲをインモールドで容器Ｃに貼着する構成としているが、型開きの後にラベルＲを容器Ｃに貼着する構成としてもよいし、ラベルＲを容器Ｃに設けない構成としてもよい。また、ブロー成形型１１に設ける空気孔１３の数は適宜設定することができ、単数であっても構わない。単一又は複数の空気孔１３を、ブロー成形型１１における、成形後の容器Ｃの胴部Ｃｂに対応する位置に代えて、又は加えて、ブロー成形型１１における、成形後の容器Ｃの底部Ｃｃに対応する位置に配置してもよい。
【００２９】
ブロー成形型１１の上側には、ブロー成形型１１に対して上下方向に相対移動自在にノズルユニット２０が設けられている。ノズルユニット２０は本体ブロック２１と充填ノズル２２とを有している。
【００３０】
充填ノズル２２は、プリフォームＰＦの口部ＰＦａの内部に挿入される円筒状に形成されたノズル本体２２ａとこのノズル本体２２ａと一体に形成された大径の挟持部２２ｂとが、例えば鋼材や樹脂材料等により一体に形成された構成となっている。充填ノズル２２は、挟持部２２ｂが本体ブロック２１の内面に嵌め込まれることにより本体ブロック２１に固定されている。ノズル本体２２ａは、ブロー成形型１１のキャビティ１２と同軸に配置されており、ノズルユニット２０が所定位置にまで下降するとブロー成形型１１に装着されたプリフォームＰＦの口部ＰＦａに係合するようになっている。
【００３１】
本体ブロック２１の内部にはノズル本体２２ａと同軸となって上下方向に延びる液体供給路２３が設けられている。この液体供給路２３は充填ノズル２２に液体Ｌを供給するための流路であり、その下端において充填ノズル２２に連通している。
【００３２】
液体供給路２３には配管２４を介して加圧液体供給部２５が接続されている。加圧液体供給部２５は、配管２４を介して液体供給路２３に所定の圧力にまで加圧した液体Ｌを供給することができる。加圧液体供給部２５としては、例えば加圧源としてプランジャーポンプを用いた構成のものを用いることができる。
【００３３】
加圧液体供給部２５から液体供給路２３に加圧された液体Ｌが供給されると、液体Ｌは液体供給路２３から充填ノズル２２を介してブロー成形型１１に配置されたプリフォームＰＦの内部に供給される。これにより、プリフォームＰＦが加圧された液体Ｌによってブロー成形型１１のキャビティ１２に沿った形状の容器Ｃに液体ブロー成形される。
【００３４】
液体供給路２３の内部には、充填ノズル２２を液体供給路２３に対して開閉するためのシール体２６が配置されている。シール体２６は液体供給路２３の軸心に沿って延びる円筒状に形成されており、液体供給路２３の内部で上下方向に移動自在となっている。シール体２６が下方のストローク端にまで移動してその下端面が挟持部２２ｂの上面に当接すると、液体供給路２３とノズル本体２２ａとの連通がシール体２６によって遮断され、充填ノズル２２は液体供給路２３に対して閉じられた状態となる。一方、シール体２６が閉じた状態から上方に移動し、その下端面が挟持部２２ｂの上面から離れると、液体供給路２３とノズル本体２２ａとが連通され、充填ノズル２２は液体供給路２３に対して開かれた状態となる。
【００３５】
ノズルユニット２０には、充填ノズル２２から液体供給路２３に対して分岐する排出路３０が設けられている。すなわち、排出路３０は、充填ノズル２２とシール体２６との閉塞位置より下流で充填ノズル２２に接続されている。排出路３０には開閉弁３１が設けられており、排出路３０は、当該開閉弁３１を開閉することにより、開閉することができる。排出路３０は、図示しないタンクに接続されている。
【００３６】
したがって、ノズル本体２２ａをプリフォームＰＦの口部ＰＦａに係合させ、シール体２６を開いて液体供給路２３を充填ノズル２２に連通させるとともに排出路３０の開閉弁３１を閉じた状態で加圧液体供給部２５を作動させることで、加圧液体供給部２５から液体供給路２３及び充填ノズル２２を介してプリフォームＰＦの内部に加圧された液体Ｌを供給してプリフォームＰＦを液体ブロー成形することができる。液体ブロー成形に際しては、加圧液体供給部２５を作動させると同時にシール体２６を開くようにしてもよいし、加圧液体供給部２５を作動させた後にシール体２６を開くようにしてもよい。また、液体ブロー成形後に、シール体２６を閉じて充填ノズル２２を液体供給路２３に対して閉じるとともに排出路３０の開閉弁３１を開いた状態で、加圧された空気を複数の空気孔１３からキャビティ１２に供給することで、当該空気により容器Ｃの外面を押圧して容器Ｃの内部の液体Ｌを、排出路３０に向けて所定量だけ容器Ｃの外部に排出することができる。
【００３７】
ノズルユニット２０に排出路３０を設けない構成とすることもできる。この場合、液体ブロー成形後に、充填ノズル２２を液体供給路２３に対して開いたままの状態で、加圧された空気を複数の空気孔１３からキャビティ１２に供給することで、当該空気により容器Ｃの外面を押圧して容器Ｃの内部の液体Ｌを、液体供給路２３に向けて所定量だけ容器Ｃの外部に排出することができる。
【００３８】
図示するように、液体ブロー成形装置１は延伸ロッド２７を備えた構成とすることもできる。延伸ロッド２７は、シール体２６の軸心に該シール体２６に対して上下方向に相対移動自在に挿入されており、シール体２６の下端からキャビティ１２の内部に向けて出没可能となっている。延伸ロッド２７を下方に向けて進出移動させることにより、プリフォームＰＦを当該延伸ロッド２７により軸方向に延伸させることができる。このように、延伸ロッド２７を設けた構成とした場合には、液体ブロー成形装置１は、プリフォームＰＦを延伸ロッド２７により軸方向に延伸させつつ加圧した液体Ｌにより径方向に延伸させる二軸延伸ブロー成形を行うことができる。
【００３９】
液体ブロー成形装置１は、延伸ロッド２７を備えない構成とすることもできる。
【００４０】
次に、このような構成の液体ブロー成形装置１を用いて、合成樹脂製のプリフォームＰＦを液体ブロー成形して内容液Ｌを収容した所定形状の容器Ｃを製造する方法（本発明の一実施形態としての容器製造方法）について説明する。
【００４１】
まず、プリフォームセット工程が行われる。プリフォームセット工程においては、まず、図１に示すように、ラベルＲをキャビティ１２内に配置し、空気孔１３から空気を吸引することによってキャビティ１２内でラベルＲを空気孔１３に吸着させる。次に、予めヒーター等の加熱手段（不図示）を用いて延伸性を発現する程度の所定の温度（例えば８０℃〜１５０℃）にまで加熱しておいたプリフォームＰＦをブロー成形型１１に配置し、型締めするとともに、ノズルユニット２０を下降させ、充填ノズル２２のノズル本体２２ａをプリフォームＰＦの口部ＰＦａに係合させる。プリフォームセット工程においては、充填ノズル２２はシール体２６によって閉じた状態とされ、加圧液体供給部２５は停止している。
【００４２】
プリフォームセット工程が完了すると、次にブロー成形工程が行われる。ブロー成形工程においては、図２に示すように、シール体２６を上方に移動させて充填ノズル２２を開くとともに加圧液体供給部２５を作動させる。これにより、加圧液体供給部２５から液体供給路２３に加圧した液体Ｌが供給されるとともに、当該液体Ｌが充填ノズル２２を通って口部ＰＦａからプリフォームＰＦの内部に供給される。そして、プリフォームＰＦの内部に加圧した液体Ｌが供給されることにより、プリフォームＰＦがブロー成形型１１のキャビティ１２に沿った形状の容器Ｃに液体ブロー成形される。
【００４３】
ブロー成形工程においては、延伸ロッド２７を用いてプリフォームＰＦを縦方向（軸方向）に延伸することにより二軸延伸ブロー成形を行うことができる。このとき、延伸ロッド２７による軸方向の延伸中または延伸後に液体Ｌの供給が開始されてもよい。延伸ロッド２７を用いることにより、成形中におけるプリフォームＰＦの芯ずれを抑制することができる。延伸ロッド２７は最初からプリフォームＰＦを延伸させる必要はなく、液体ＬのみによってプリフォームＰＦを軸方向に或る程度延伸させた後に、延伸ロッド２７でプリフォームＰＦをさらに軸方向に延伸させるようにしてもよい。
【００４４】
ブロー成形工程が完了すると、次に液体排出工程が行われる。液体排出工程においては、まず、図３に示すように、充填ノズル２２を閉じ、加圧液体供給部２５が停止した状態で、排出路３０を開く。次に、図４に示すように、加圧された空気を空気孔１３からキャビティ１２に供給して、該空気により成形後の容器Ｃの胴部Ｃｂの外面を押圧する。これにより、容器Ｃの胴部Ｃｂがその内容量が減少するように弾性変形し、容器Ｃの内部に収容されている液体Ｌが排出路３０に向けて所定量だけ口部Ｃａから容器Ｃの外部に排出される。排出路３０に向けて排出された液体Ｌは、タンクに貯留される。タンクに貯留した液体Ｌは、液体ブロー成形のための液体Ｌとして再利用することができる。排出路３０に向けて容器Ｃの内部から排出させる液体Ｌの量は、空気孔１３からの空気の流入量を変更することによって所望の量に設定することができる。このように、容器Ｃの胴部Ｃｂを変形させて所定量の液体Ｌを成形後の容器Ｃの内部から排出させることにより、容器Ｃはその内部に満注容量よりも少ない液体Ｌが収容された状態となる。
【００４５】
本実施形態のように、ブロー成形工程において延伸ロッド２７を用いた二軸延伸ブロー成形を行った場合には、図４に示したように延伸ロッド２７を成形後の容器Ｃの内部に残したままで、空気孔１３からの空気による胴部Ｃｂの押圧を行ってもよいし、延伸ロッド２７を成形後の容器Ｃの内部から引き抜いてから空気孔１３からの空気による胴部Ｃｂの押圧を行ってもよい。
【００４６】
液体排出工程が完了すると、次にヘッドスペース形成工程が行われる。ヘッドスペース形成工程においては、図４に示したように空気孔１３からの空気により容器Ｃの胴部Ｃｂを押圧した状態のまま、つまり容器Ｃを所定量の液体Ｌを外部に排出した状態としたまま、排出路３０を閉じる。次に、図５に示すように、ノズルユニット２０を原位置にまで上昇させて充填ノズル２２を口部Ｃａから離脱させる。このとき、排出路３０は閉じられているので、排出路３０に向けて排出された液体Ｌが容器Ｃに戻ることはない。これにより、容器Ｃの胴部Ｃｂは液体ブロー成形が完了した時の形状に復元し、その内部に所望の大きさのヘッドスペースＨＳが形成される。
【００４７】
排出路３０を用いずに液体排出工程を行うこともできる。この場合、液体排出工程において、充填ノズル２２を液体供給路２３に対して開いたままの状態で、加圧された空気を複数の空気孔１３からキャビティ１２に供給することで、当該空気により容器Ｃの外面を押圧して容器Ｃの内部の液体Ｌを、液体供給路２３に向けて所定量だけ容器Ｃの外部に排出するとともに、ヘッドスペース形成工程において、充填ノズル２２を液体供給路２３に対して閉じて、所定量の液体Ｌを外部に排出した状態の容器Ｃの口部Ｃａから充填ノズル２２を離脱させて容器Ｃの内部にヘッドスペースＨＳを形成することができる。
【００４８】
このように、本実施形態の容器製造方法によれば、プリフォームＰＦを液体ブロー成形した後に、加圧された空気をブロー成形型１１に設けられた空気孔１３からキャビティ１２に供給して、当該空気により成形後の容器Ｃの外面を押圧し、これにより容器Ｃの内部の液体Ｌを所定量だけ外部に排出させて容器Ｃの内部にヘッドスペースＨＳを形成するようにしたので、ブロー成形型１１を複雑な構成とすることなく容器Ｃの内部に所望の大きさのヘッドスペースＨＳを形成することができる。したがって、この容器Ｃの製造コストを低減することができる。
【００４９】
また、本実施形態においては、ブロー成形工程において、空気孔１３から空気を吸引することによってキャビティ１２内でラベルＲを空気孔１３に吸着させた状態で、プリフォームＰＦを液体ブロー成形するようにしたので、ラベルＲの吸着孔とヘッドスペースＨＳ形成用の空気孔１３とを兼用し、容器ＣにインモールドラベルＲを設ける場合のブロー成形型１１の構成を簡略化させることができる。
【００５０】
以上、説明した実施形態は、本発明の実施形態の一例にすぎず、発明の要旨を逸脱しない範囲で種々変更可能であることはいうまでもない。
【００５１】
例えば、前記実施形態では、図１〜図５に示す構成の液体ブロー成形装置１を用いて本発明の一実施形態としての容器製造方法を行う場合を示したが、他の構成の液体ブロー成形装置等を用いて本発明の一実施形態としての容器製造方法を行うこともできる。
【符号の説明】
【００５２】
１    液体ブロー成形装置
１１    ブロー成形型
１２    キャビティ
１３    空気孔
１４    空気供給路
１５    開閉弁
２０    ノズルユニット
２１    本体ブロック
２２    充填ノズル
２２ａ  ノズル本体
２２ｂ  挟持部
２３    液体供給路
２４    配管
２５    加圧液体供給部
２６    シール体
２７    延伸ロッド
３０    排出路
３１    開閉弁
ＰＦ    プリフォーム
ＰＦａ  口部
ＰＦｂ  胴部
ＰＦｃ  雄ねじ
Ｌ    液体（内容液）
ＨＳ    ヘッドスペース
Ｃ    容器
Ｃａ    口部
Ｃｂ    胴部
Ｃｃ    底部
Ｒ    ラベル（インモールドラベル）
【図１】
2018161858.tif 000003
【図２】
2018161858.tif 000004
【図３】
2018161858.tif 000005
【図４】
2018161858.tif 000006
【図５】
2018161858.tif 000007